(57)【要約】      （修正有）【課題】平常時には、所有者の氏名情報の保護を徹底することができ、緊急時には速やかな緊急事態対応が可能となる緊急連絡兼検知用名札を提供する。【解決手段】緊急連絡兼検知用名札１は、カード状に形成され、表面、裏面にわたって所有者の性別、血液型、複数種の通報先の電話番号等を付した個人情報欄及び連絡手順等を記した連絡案内情報欄４を設け、所有者の氏名、性別、血液型、連絡先の電話番号等の個人情報を読み取り可能に記憶した無線ＩＣタグを内装して名札本体２を構成する。名札本体２の表裏を前記連絡案内情報欄４を除いて折り返し形態で覆うとともに、露出面に名札本体２の視認誘導情報１２を記したブラインド紙１１と、ブラインド紙１１により覆われた名札本体２を、ブラインド紙１１とともに連絡案内情報欄４が表出する状態で装脱可能に収納するとともに、所有者の身体等に着脱可能に取り付ける透明カードケース２１とを有する。【選択図】図１
0003170295.tif 000002
【実用新案登録請求の範囲】
【請求項１】
カード状に形成され、表面、裏面にわたって所有者の性別、血液型、複数種の通報先の電話番号等を付した個人情報欄及び連絡手順等を記した連絡案内情報欄を設け、所有者の氏名、性別、血液型、連絡先の電話番号等の個人情報を読み取り可能に記憶した無線ＩＣタグを内装した名札本体と、
前記名札本体の表裏を前記連絡案内情報欄を除いて折り返し形態で覆うとともに、露出面に前記名札本体の視認誘導情報を記したブラインド紙と、
前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、
を有することを特徴とする緊急連絡兼検知用名札。
【請求項２】
カード状に形成され、表面、裏面にわたって所有者の性別、血液型、複数種の通報先の電話番号等を付した個人情報欄及び連絡手順等を記した連絡案内情報欄を設け、前記名札本体の一部に所有者特定用のエンボス式の識別番号欄を設け、前記所有者の氏名、性別、血液型、連絡先の電話番号等の個人情報を読み取り可能に記憶した無線ＩＣタグを内装した名札本体と、
前記名札本体の表裏を前記連絡案内情報欄を除いて折り返し形態で覆うとともに、露出面に前記名札本体の視認誘導情報を記したブラインド紙と、
前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、
を有することを特徴とする緊急連絡兼検知用名札。
【請求項３】
カード状に形成され、表面、裏面にわたって所有者の性別、血液型、複数種の通報先の電話番号を付した個人情報欄及び連絡手順等を記した連絡案内情報欄を設け、前記名札本体の一部に所有者特定用のエンボス式の識別番号欄を設け、前記所有者の氏名、性別、血液型、連絡先の電話番号等の個人情報を読み取り可能に記憶した無線ＩＣタグを内装した名札本体と、
前記名札本体の表裏を前記連絡案内情報欄を除いて折り返し形態で覆うとともに、露出面に前記名札本体の視認誘導情報を記したブラインド紙と、
前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、を有する緊急連絡兼検知用名札と、
前記所有者の緊急事態発生時に、前記緊急連絡用名札に付した前記通報先の電話番号に基づいて前記所有者の識別番号、性別、血液型の情報を電話回線網を介して電話通報する前記所有者の存在地域に存在する住民等の電話機群のうちのいずれかの電話機と、
前記住民等の電話機群のうちのいずれかの電話機からの前記識別番号、性別、血液型の情報に関する電話通報を電話回線網を介して受信する前記所有者に関する通報先である消防署又は警察の電話機群と、
前記住民等における電話機群のうちのいずれかの電話機からの前記識別番号、性別、血液型の情報に関する電話通報を、電話回線網を介して受信する前記所有者の関係者の電話機と、
を含むことを特徴とする緊急連絡兼検知用名札を使用する緊急連絡兼検知システム。
【請求項４】
カード状に形成され、表面、裏面にわたって所有者の性別、血液型、複数種の通報先の電話番号を付した個人情報欄及び連絡手順等を記した連絡案内情報欄を設け、前記名札本体の一部に所有者特定用のエンボス式の識別番号欄を設け、前記所有者の氏名、性別、血液型等の個人情報を読み取り可能に記憶した無線ＩＣタグを内装した名札本体と、
前記名札本体の表裏を前記連絡案内情報欄を除いて折り返し形態で覆うとともに、露出面に前記名札本体の視認誘導情報を記したブラインド紙と、
前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、を有する緊急連絡兼検知用名札と、
前記所有者の緊急事態発生時に、前記緊急連絡用名札に内装した無線ＩＣタグに記憶した、所有者の氏名、性別、血液型等の個人情報を前記所有者を目視し得ない状態においても非接触で読み取り表示して当該所有者を検知するタグリーダと、
を含むことを特徴とする緊急連絡兼検知用名札を使用する緊急連絡兼検知システム。
【考案の詳細な説明】
【技術分野】
【０００１】
本考案は、緊急連絡兼検知用名札及び該緊急連絡兼検知用名札を使用する緊急連絡兼検知システムに関し、詳しくは、健常者は勿論のこと、特に小学生等の児童、障害者、高齢者等の安全、救助対策に極めて有効であり、かつ、個人情報の秘匿性にも優れた緊急連絡兼検知用名札及び該緊急連絡兼検知用名札を使用する緊急連絡兼検知システムに関するものである。
【背景技術】
【０００２】
近年、小学生等の児童等を対象とした事故、事件が多発しており、児童等が登下校時に歩く通学路が存在する地域内で行なわれている危機管理体制が極めて重要となる。
【０００３】
このような危機管理体制としては、地域住民の力だけで進める危機管理（ヒューマン・セキュリテイ）の取り組みとともに、一方で、テクノロジーだけで固めるテクノロジー・セキュリティーの取り組み等が存在するが、両者が上手くバランスしていることが肝要である。
【０００４】
また、このような危機管理体制では、個人情報の保護対策と、事件・事故時の緊急対応の二つはどちらも不可欠の要素となる。
【０００５】
多くの小学校に関する危機管理体制について観察して見ると、名札を外して児童等を登下校させる一部小学校も散見されるが、このような小学校では、登下校時間帯で発生した緊急時にあって、介助者が作業遂行に拠り所とする児童等の個人情報（氏名、緊急時の作業手順）を児童等自身が携帯しておらず、介助者（地域住民等）に向けた連絡案内情報すらなく、緊急時の作業進行に大きく影響し当該児童等の救助に困難を来たす。
【０００６】
特許文献１には、児童等または園児に所持される無線タグ付名札であって、固有のタグＩＤを記憶した無線タグと、無線タグ付名札の周りを囲むように設置され、所定の物理的作用を所定時間以上継続して検出したときに、前記無線タグに所定の信号を送信するセンサとを含み、前記センサから所定の信号を受信したときに、外部にタグＩＤ及び緊急事態が発生した旨を示すメッセージを送信するように構成した無線タグ付名札が開示されている。
【０００７】
この特許文献１の無線タグ付名札の場合、上述したテクノロジー・セキュリティーの技術に立脚するものであり、無線タグから無線信号を受信し所定の機関に伝達する大規模なハードウェアを必須とすることからシステム構築、運用に多くの資金を要し、かつ、ヒューマン・セキュリテイの活用の面で十分ではない。
【先行技術文献】
【特許文献】
【０００８】
【特許文献１】特開２００７−７２５４１号公報
【考案の開示】
【考案が解決しようとする課題】
【０００９】
本考案が解決しようとする問題点は、平常時に、健常者は勿論のこと、特に小学生等の児童、障害者、高齢者等の氏名情報の保護を徹底することができ、児童等の通報先等における個人情報の秘匿性を高めて漏洩防止を確実に図ることができるとともに、緊急時には住民パワーによって速やかな緊急事態対応も可能となるような緊急連絡用名札が存在しない点である。
【考案の概要】
【課題を解決するための手段】
【００１０】
本考案に係る緊急連絡兼検知用名札は、カード状に形成され、表面、裏面にわたって所有者の性別、血液型、複数種の通報先の電話番号等を付した個人情報欄及び連絡手順等を記した連絡案内情報欄を設け、所有者の氏名、性別、血液型、連絡先の電話番号等の個人情報を読み取り可能に記憶した無線ＩＣタグを内装した名札本体と、前記名札本体の表裏を前記連絡案内情報欄を除いて折り返し形態で覆うとともに、その露出面に前記名札本体の視認誘導情報を記したブラインド紙と、前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、を有することを最も主要な特徴とする。
【考案の効果】
【００１１】
請求項１、２記載の考案によれば、平常時に、健常者は勿論のこと、特に小学生等の児童、障害者、高齢者等の氏名情報の保護を徹底することができ、児童等の通報先等における個人情報の秘匿性を高めて漏洩防止を確実に図ることができるとともに、緊急時には住民パワーによって速やかな緊急事態対応も可能となる緊急連絡用名札を実現し提供することができる。
【００１２】
請求項３、４記載の考案によれば、名札本体、電話機（各種形態の電話機を含む。以下同じ）を含む電話通信手段、住民パワーの三要素を巧みに組み合わせ、それぞれの優れた潜在力（余力）を拠り所に地域に密着した児童等々の緊急事態対応の危機管理体制を実現し、かつ、個人情報の秘匿性の点でも優れ、更に、無線ＩＣタグ、タグリーダの組み合わせによって、地震等の天災が発生した場合の児童等々の検知をも行うことができる緊急連絡兼検知システムを提供することができる。
【図面の簡単な説明】
【００１３】
【図１】図１は本考案の実施例に係る緊急連絡兼検知用名札の表面及び裏面を示す説明図である。
【図２】図２は本実施例に係る緊急連絡兼検知用名札における名札本体をブラインド紙で覆った状態の表面及び裏面を示す説明図である。
【図３】図３は本実施例に係る緊急連絡兼検知用名札における名札本体の表面及び裏面を示す説明図である。
【図４】図４は本実施例に係る緊急連絡兼検知用名札におけるブラインド紙の表面及び裏面を示す説明図である。
【図５】図５は本実施例に係る緊急連絡兼検知用名札に内蔵した無線ＩＣタグを示す概略構成図である。
【図６】図６は本実施例に係る緊急連絡兼検知用名札を使用する緊急連絡兼検知システムによる児童等々の緊急時の電話通報の一例を示すシステム構成図である。
【図７】図７は本実施例に係る無線ＩＣタグを内蔵した緊急連絡兼検知用名札を使用する緊急連絡兼検知システムにおける児童等々の緊急時のタグリーダによる検知状態を示す説明図である。
【図８】図８は本実施例に係る無線ＩＣタグを内蔵した緊急連絡兼検知用名札を使用する緊急連絡兼検知システムにおけるタグリーダの検知画面を示す拡大説明図である。
【図９】図９は本実施例の変形例に係る緊急連絡兼検知用名札における名札本体の表面及び裏面を示す説明図である。
【考案を実施するための形態】
【００１４】
本考案は、平常時に、健常者は勿論のこと、特に小学生等の児童、障害者、高齢者等の氏名情報の保護を徹底することができ、児童等々の通報先等における個人情報の秘匿性を高めて漏洩防止を確実に図ることができるとともに、緊急時には住民パワーによって速やかな緊急事態対応も可能となる緊急連絡兼用検知用名札を提供するという目的を、カード状に形成され、表面、裏面にわたって所有者の性別、血液型、複数種の通報先の電話番号等を付した個人情報欄及び連絡手順等を記した連絡案内情報欄を設け、前記名札本体の一部に所有者特定用のエンボス式の識別番号欄を設け、前記所有者の氏名、性別、血液型、連絡先の電話番号等の個人情報を読み取り可能に記憶した無線ＩＣタグを内装した名札本体と、前記名札本体の表裏を前記連絡案内情報欄を除いて折り返し形態で覆うとともに、露出面に前記名札本体の視認誘導情報を記したブラインド紙と、前記ブラインド紙により覆われた前記名札本体を、前記ブラインド紙とともに前記連絡案内情報欄が表出する状態で装脱可能に収納するとともに、所有者の身体等に着脱可能に取り付ける透明カードケースと、を有する構成により実現した。
【実施例】
【００１５】
以下、本考案の実施例に係る緊急連絡兼検知用名札及び該緊急連絡兼検知用名札を使用する緊急連絡兼検知システムについて詳細に説明する。
本考案は、健常者は勿論のこと、特に小学生等の児童、障害者、高齢者等を対象とするものであるが、以下説明では、その対象者として児童Ｍを例示して説明する。
【００１６】
本実施例に係る緊急連絡兼検知用名札１は、図１乃至図４に示すように、例えば、紙素材又は合成樹脂素材を用い、サイズが６．５ｃｍ×４．８ｃｍの長方形型カード状に形成され、表面、裏面にわたって例えば所有者である児童（小学生）Ｍ等々の性別、血液型、複数種の通報先の電話番号等を付した個人情報欄３及び連絡手順等を記した連絡案内情報欄４を設けた名札本体２と、前記前記名札本体２の表裏を前記連絡案内情報欄４を除いて折り返し形態で覆うとともに、露出面（裏面）に前記名札本体２の記載情報の視認を誘導するための視認誘導情報を記した視認誘導情報欄１２を有する図４右欄に示すような略長方形状のブラインド紙１１と、前記ブラインド紙１１により覆われた前記名札本体２を、装脱可能に収納するとともに、例えば児童Ｍ等の胸等に取り付ける表裏切り替え可能なフック等からなる取り付け具２２を具備する透明カードケース２１と、を有している。
【００１７】
前記名札本体２における個人情報欄３に記す複数種の通報先としては、例えば消防用（１１９番）、警察用（１１０番）のような応急処置（応急手当）用及び緊急通報用、並びに、所有者の保護者等の関係者への緊急通報用の２種を挙げることができる。
【００１８】
また、前記名札本体２には、図２、図５に示すように、前記所有者の氏名、性別、血液型、連絡先の電話番号等の個人情報を読み取り可能にＩＣチップ３２に記憶し、かつ、ＩＣチップ３２及びタグアンテナ３３をフィルム状基体３４に配置した公知のパッシィブ型の無線ＩＣタグ３１を内装している。
【００１９】
前記名札本体２の一部、例えば表面及び裏面の各下部には、所有者特定用のエンボス式の識別番号（ＩＤ）欄５を設けている。
【００２０】
前記識別番号欄５は、児童Ｍ等の実名個人情報を隠し、同時に、その情報の「身代わり役」ともなり得る識別情報（持ち番号：例えば（ＩＤ１１２３３）、すなわち、当該児童Ｍ等に関する覆面情報（暗号化情報）として機能する。
【００２１】
前記識別番号欄５における持ち番号は、エンボス加工された浮き出し文字方式で、名札本体２の下地とほぼ同一色調（着色も可）に形成しておくことにより、瞬時の解読には不向きで防御的と言える。
【００２２】
また、エンボス加工による持ち番号は悪意に基づく改ざん、消去を困難にするという利点もある。
【００２３】
前記ブラインド紙１１の表面側には、すなわち、名札本体２に接する面側には、図４左欄に示すように、警察、消防への電話通報番号、海の事故の場合の電話通報番号、更には、海外での緊急連絡方法、ＩＤ番号の説明、情報の書き込み案内等の各種補足説明が記されている。
【００２４】
次に、本実施例に係る緊急連絡兼検知用名札１を使用する緊急連絡兼検知システムについて、小学生等の児童Ｍ等に関する例えば通学路の登下校時等における緊急事態発生時の危機管理対応状態とともに図６を参照して説明する。
【００２５】
本実施例２に係る緊急連絡兼通知システムは、前記緊急連絡兼検知用名札１と、児童Ｍ等の通学路等での転倒骨折事故、交通事故等のような緊急事態発生時に、前記緊急連絡兼検知用名札１に表示した最初の通報先、すなわち、消防の電話番号、警察の電話番号に基づき、更には、次の通報先である前記児童Ｍ等に関する通報先である家族の電話番号に基づき緊急通報を行う前記通学路の存在地域、例えば通学路近辺に存在する住民等の携帯電話又は固定電話等からなる電話機４１、４２と、消防の電話機４３、及び、警察の電話機４４と、前記児童Ｍ等に関する連絡先である家族又は学校等の携帯電話又は固定電話からなる電話機４５と、前記各電話機間の交信を実現する電話回線網５０（携帯電話網、一般電話回線網を含み各種形態の電話回線網を含む。以下同じ）と、を含んで構成している。
【００２６】
次に、本実施例に係る緊急連絡兼検知用名札１及び緊急連絡兼検知システムの作用、効果について説明する。
【００２７】
本実施例に係る緊急連絡兼検知システムにおいて、例えば児童Ｍ等が通学路等で転倒し骨折した場合等の緊急事態時においては、例えば当該児童Ｍ等を発見しその介助を行なおうとする住民Ａは、児童Ｍ等の緊急連絡兼検知用名札１を見て、これを児童Ｍ等の着衣の胸部分から外し、透明カードケース２１から名札本体２及びブラインド紙１１を取り出す。
【００２８】
そして、住民Ａは、ブラインド紙１１の視認誘導情報欄１２を見て、ブラインド紙１１から名札本体２を取り出し、名札本体２に記してある複数種の通報先の電話番号を認識する。
【００２９】
次に、住民Ａは、自己の電話機４１を操作し、電話回線網５０を通じて消防の電話機４３、及び、警察の電話機４４、更には、当該児童Ｍ等の家族の電話機４５に緊急通報し、前記児童Ｍ等に緊急事態が発生したことを速やかに連絡する。
【００３０】
このようにして、本実施例に係る緊急連絡兼検知システムによれば、緊急連絡兼検知用名札１の記載情報、住民Ａ等の住民パワー、電話機及び電話回線網５０からなる電話通信手段の三要素を巧みに組み合わせ、それぞれの優れた潜在力（余力）を拠り所に地域に密着した児童Ｍ等に関する危機管理体制を構築することができる。
【００３１】
なお、図６に示す緊急連絡兼検知システムのシステム構成は一例であり、これに限定されるものではない。
【００３２】
本実施例に係る緊急連絡兼検知用名札１における名札本体２とブラインド紙１１が受け持つ二つの役割について考察すると、これらはシステムフローと個人情報保護を両立させる営みであり、両者は密接不可分の関係にある。
【００３３】
すなわち、名札本体２に記した個人情報、連絡案内情報と、ブラインド紙１１に記した視認誘導情報とは、ブラインド紙１１を用いていずれの情報を保護するかという問題、つまり、名札本体２上のどのような情報を保護し、どのような情報ならば露出のままにしておいて構わないかという問題と直面するものである。
【００３４】
従って、保護する個人情報等と保護しない情報とに区分けするための線引きを施すに当たっては、緊急連絡兼検知システムのスムーズなフローを確保する一方で、重要情報の漏洩を避けるようすることが要請される。
【００３５】
そして、両者を同時に満足させるには、デザイン的に精細な完成度が求められることになる。
【００３６】
名札本体２の記載情報を過度に保護すれば、必要以上に保護される結果として、必要な情報伝達が損なわれる羽目に陥り、スムーズなシステムフローを期待できなくなるおそれが生じる。
【００３７】
そこで、本実施例では、緊急連絡兼検知システムを支障なく進行させるためには、名札本体２とブラインド紙１１にそれぞれに必要な補足的な連絡案内情報、視認誘導情報を掲載して、名札本体２とブラインド紙１１とを巧みに連携させ、緊急連絡兼検知システムの的確な、かつ、スムーズな展開が可能となるよう工夫したものである。
【００３８】
すなわち、名札本体２とブラインド紙１１をこのように工夫することにより、緊急時には、個人情報を保護しながら同時に緊急時に必要な連絡案内情報、視認誘導情報を的確に市中の協力者に提示して、支障なく緊急情報を共有することを可能としている。
【００３９】
前記名札本体２とブラインド紙１１の外見は、上述したように常時（運用時）は、ブラインド紙１１が名札本体２を包み込みながら、名札本体２に記載してある保護すべき個人情報を秘匿した状態で透明カードケース２１に装着している。
【００４０】
この場合、市中の協力者には、緊急事態に際して、「緊急処置を施してほしい」旨の名札本体２上の連絡案内情報だけは、協力者が外見から一見して理解できるようになっている。従って、名札本体２の全ての情報がブラインド紙１１で覆われているわけではない。
【００４１】
そして、透明カードケース２１から名札本体２、ブラインド紙１１を離脱させた場合には、次に採るべき処置についての視認誘導情報、連絡案内情報がブラインド紙１１、名札本体２により順次段階的に案内されるようになっており、それぞれに必要な情報内容が手順を追って用意されている。
【００４２】
最終的には市中の協力者が取るべき「緊急処置」の一つ一つの項にたどり着くように構成している。
【００４３】
本実施例において、「緊急処置」の内容は、一つに、「応急処置（応急手当）」、更に、状況によっては、続いて「追加処置」が加わる。
【００４４】
二つに、「緊急通報（利用者が指定する通報先へ電話連絡するために、利用者によって通報先電話番号が記入されている）」から構成している。
【００４５】
このような処置にたどり着いたところで、緊急連絡兼検知システムのシステムフローは一巡することになる。
【００４６】
なお、名札本体２上の灰色文字・灰色の囲みの部分（性別欄等）は利用者が記入する欄である。
【００４７】
前記名札本体２上のこれらの記入部分は、記入に適するよう加工されており、掲載文字等は消去後に再度記入することが可能な構成としている。記入のための筆記用具は、消し込み可能なインクを使用した筆記用具が好ましい。一度書き込んでも、消去すれば、再度記入することが可能となるからである。
【００４８】
本実施例において、児童Ｍ等の所有者（使用者）に対する緊急連絡兼検知用名札１の取り付け位置は、上下着衣の外部から見え易い箇所に表付けする。所有者の名札位置と並んだ横の位置等が適した位置の一つと考えられる。
【００４９】
また、本実施例においては、衣服の胸位置に取り付けする際には、名札本体２単体ではなく、例えば透明カードケース２１に名札本体２を納めた状態で透明カードケース２１とともに取り付ける。
【００５０】
前記緊急連絡兼検知用名札１を収納する透明カードケース２１は、通常は透明合成樹脂素材の仕上がりとするが、その一部に半透明加工（ぼかし）を施せば、ブラインド紙１１による情報保護と同じ効果を期待できる。
【００５１】
また、透明カードケース２１は、通常一つの名札本体２用の収納部を有するものを使用するが、この他二つの収納部を有するものを使用すれば、残りの一つに授業中に使用する名札を納めることが可能となりより利便性が向上する。
【００５２】
次に、図７、図８を参照して本実施例に係る緊急連絡兼検知用名札１を使用する緊急連絡兼検知システムによる地震等の天災が発生した場合の児童Ｍ等々の検知態様について説明する。
【００５３】
地震等の天災が発生したために、児童Ｍ等が図７に示すように例えば建物６０の中に閉じ込められたような場合、例えば消防隊員のような捜索者が公知のタグリーダ６１を手に持ち、検索動作を実行する。
【００５４】
前記タグリーダ６１からの電波を受信した前記緊急連絡兼検知用名札１に内装している無線ＩＣタグ３１のタグアンテナ３３が、ＩＣチップ３２を励起し、ＩＣチップ３２に記憶している氏名、性別、血液型等の個人情報をタグリーダ６１に返信する。
【００５５】
これにより、前記児童Ｍ等を直接目視し得ない状態においても非接触で児童Ｍ等の個人情報を読み取りタグリーダ６１の画面に図８に概略示すように表示して当該児童を検知し、救出することが可能となる。
【００５６】
図９は、前記名札本体２の変形例である名札本体２Ａを示すものであり、そのサイズを例えば５．８ｃｍ×５．８ｃｍの正方形型に形成したものである。この名札本体２Ａによれば、前記名札本体２よりも個人情報をより多く掲載できることになる。
【００５７】
このような名札本体２Ａを使用して既述した場合と同様の緊急連絡兼検知用名札１を構成し、かつ、既述した場合と同様な緊急連絡兼検知システムとしても、既述した場合と同様な作用、効果を発揮させることができる。
【００５８】
なお、名札本体や緊急連絡兼検知用名札のサイズ、形状は、上述した場合に限らず種々に変形可能である。
【産業上の利用可能性】
【００５９】
本考案の緊急連絡兼検知用名札は、上述した場合の他、名札本体にバーコード、磁気ストライプ等の情報記録媒体を付加して、よりきめ細かい情報管理を実現し得る緊急連絡システムを構築し、児童の危機管理の他、例えば市街地等における高齢者の救助システムとする等の応用も可能である。
【符号の説明】
【００６０】
１    緊急連絡兼検知用名札
２    名札本体
２Ａ  名札本体
３    個人情報欄
４    連絡案内情報欄
５    識別番号欄
１１    ブラインド紙
１２    視認誘導情報欄
２１    透明カードケース
２２    取り付け具
３１    無線ＩＣタグ
３２    ＩＣチップ
３３    タグアンテナ
３４    フィルム状基体
４１    電話機
４２    電話機
４３    電話機
４４    電話機
４５    電話機
５０    電話回線網
６０    建物
６１    タグリーダ
Ａ    住民
Ｍ    児童
【図１】
0003170295.tif 000003
【図２】
0003170295.tif 000004
【図３】
0003170295.tif 000005
【図４】
0003170295.tif 000006
【図５】
0003170295.tif 000007
【図６】
0003170295.tif 000008
【図７】
0003170295.tif 000009
【図８】
0003170295.tif 000010
【図９】
0003170295.tif 000011